(57)【要約】【課題】  構造物の高さ等の属性情報を、その設置場所を示す位置情報と関連つけて提供する。【解決手段】  構造物の高さ、種類等の構造物の属性情報と前記構造物の設置場所を示す位置情報とを関連付けた構造物情報を格納した構造物情報データベース２と、利用者端末との間で情報の送受信をする送受信手段７と、構造物情報データベース２に格納された構造物情報を検索する構造物情報検索手段８と、を有する構造物情報提供システム１であって、構造物情報検索手段８は、７送受信手段が利用者端末１６から受信した検索条件に基づいて、構造物情報データベース２に格納された構造物情報から該当する構造物情報を検索し、送受信手段７は該当する構造物情報を利用者端末１６に送信することにより解決する。【選択図】        図１
2007058389.tif 000002
【特許請求の範囲】
【請求項１】
構造物の高さ、種類等の構造物の属性情報と前記構造物の設置場所を示す位置情報とを関連付けた構造物情報を格納した構造物情報データベースと、
利用者端末との間で情報の送受信をする送受信手段と、
前記構造物情報データベースに格納された前記構造物情報を検索する構造物情報検索手段と、を有する構造物情報提供システムであって、
前記構造物情報検索手段は、前記送受信手段が前記利用者端末から受信した検索条件に基づいて、前記構造物情報データベースに格納された構造物情報から該当する構造物情報を検索し、
前記送受信手段は前記該当する構造物情報を前記利用者端末に送信することを特徴とする構造物情報提供システム。
【請求項２】
前記構造物情報データベースに格納された構造物の位置情報に対応する座標を地図上に有する地図情報を格納する地図情報データベースと、
前記構造物の位置情報の座標に該当する位置とその周辺を表示する地図の地図情報を前記地図情報データベースから検索する地図情報検索手段と、
前記地図情報検索手段が検索した地図情報が表示する地図上に前記構造物の該当する位置を記号化して表示する情報を前記地図情報に重ねる記号化手段と、を有し、
前記記号化手段により記号化した情報を重ねてなる前記地図情報を、前記送受信手段により前記利用者端末に送信することを特徴とする請求項１記載の構造物情報提供システム。
【請求項３】
前記構造物情報データベースに格納された構造物情報に関連付けられた構造物の画像情報を格納する画像情報データベースと、
前記画像情報データベースから前記構造物情報に関連付けられた前記構造物の画像情報を検索する画像情報検索手段と、を有し、
前記画像情報検索手段により検索された前記構造物の画像情報を、前記送受信手段により前記利用者端末に送信することを特徴とする請求項１又は２に記載の構造物情報提供システム。
【請求項４】
構造物情報、地図情報若しくは画像情報のいずれかに該当する情報を、前記構造物情報データベース、前記地図情報データベース若しくは前記画像情報データベースの該当するいずれかに入力するデータ入力手段を有することを特徴とする請求項１ないし３のいずれか１項に記載の構造物情報提供システム。
【発明の詳細な説明】
【技術分野】
【０００１】
この発明は特定の位置に設置されている構造物に関する情報を提供するシステムに関し、特に、構造物が設置されている場所の位置情報と、構造物の高さ、構造物の使用用途等の構造物の属性に基づく属性情報とを関連つけた構造物に関する情報を、用途に応じて提供できる構造物情報提供システムに関するものである。
【背景技術】
【０００２】
希望する住宅物件を調べる住宅物件の検索システムは、コンピュータ及び周辺機器の進歩に伴い、駅等の所定位置からの距離、時間、そして価格や築年数等といった条件を端末機器等により入力することで、画像情報、地図情報を含んだ住宅物件情報を瞬時に提供できるようになった（例えば、特許文献１参照）。
【０００３】
また建物のメンテナンス等のために、所在地、築年数、材質等といった建物の属性情報をコンピュータ管理する建物情報管理システムが提案され、必要な情報へのアクセスが容易となった（例えば、特許文献２参照）。
【特許文献１】□特開２００３−２０３０７５
【特許文献２】特開２００１−３５７１１４
【発明の開示】
【発明が解決しようとする課題】
【０００４】
上記特許文献１によれば、地図情報に関連付けられた住宅物件情報の検索が可能となり、指定された位置情報からの距離内の範囲、所定時間内に所定の方法で移動可能な範囲、所定料金内に所定の方法で移動可能な範囲、にある住宅物件情報がその画像とともに入手できるようになった。
【０００５】
さらに上記特許文献２によれば、築年数、築工法、階数等の建物の属性が、位置情報と関連付けて容易に検索することができる。
【０００６】
しかしながら、これらはすべて住宅物件に関する位置情報、属性情報を検索するものであり、その用途は、新規購入のための情報取得、住宅リフォーム営業等のための情報取得に限られている。
【０００７】
すなわち住宅に限らず、商業ビルや公共建物、さらに送電塔、煙突等の構造物の高さや構造等といった構造物の属性情報は、その位置情報とともに、例えば携帯電話のアンテナや交通情報の監視カメラの設置、広告板の設置等において必要不可欠な情報が多く含まれているにも拘わらず、有効に利用されていないのが現状である。
【０００８】
またスカイダイビング、グライダー等のスカイスポーツにおいては、飛行エリア内にある構造物の属性と位置の情報取得が安全性確保のためにも不可欠なものであるが、設置場所と関連付けた構造物の属性情報が有効に提供されていない。
【０００９】
この発明は、構造物の高さ等の属性情報を、その設置場所を示す位置情報と関連つけて提供することを目的とするものである。
【課題を解決するための手段】
【００１０】
本発明は、構造物の位置情報とその属性情報とを関連つけた構造物情報としてデータベースに格納し、検索条件に応じた構造物情報を提供することにより、前記課題の解決を図ったものである。
【００１１】
すなわち、前記目的を達成するために本発明が提案するものは、構造物の高さ、種類等の構造物の属性情報と前記構造物の設置場所を示す位置情報とを関連付けた構造物情報を格納した構造物情報データベースと、利用者端末との間で情報の送受信をする送受信手段と、前記構造物情報データベースに格納された前記構造物情報を検索する構造物情報検索手段と、を有する構造物情報提供システムであって、前記構造物情報検索手段は、前記送受信手段が前記利用者端末から受信した検索条件に基づいて、前記構造物情報データベースに格納された構造物情報から該当する構造物情報を検索し、前記送受信手段は前記該当する構造物情報を前記利用者端末に送信することを特徴とする構造物情報提供システムである。
【００１２】
このように利用者端末の検索条件、例えば「甲県乙市」という位置条件に、「高さ３０ｍ以上」という高さ条件、「商業ビルで屋上利用可」という内容条件が入力されたときは、この条件に該当する構造物情報を検索し、該当する構造物情報を利用者端末に送信する。構造物情報には、構造物毎に構造物の位置情報（例えば所在地、緯度、経度）と属性情報（構造物の高さ、構造物の種類、周囲の環境、配置位置等）がさらに詳細に記載されているので、広告塔の設置、携帯電話用アンテナの設置場所の選択に必要な情報が入手できる。位置条件を緯度、経度により範囲設定し、高さの条件等を入力することで、スカイスポーツの飛行に障害を生じる構造物を事前に発見することもできる。
【００１３】
また上記構造物情報提供システムに、さらに、前記構造物情報データベースに格納された構造物の位置情報に対応する座標を地図上に有する地図情報を格納する地図情報データベースと、前記構造物の位置情報の座標に該当する位置とその周辺を表示する地図の地図情報を前記地図情報データベースから検索する地図情報検索手段と、前記地図情報検索手段が検索した地図情報が表示する地図上に前記構造物の該当する位置を記号化して表示する情報を前記地図情報に重ねる記号化手段と、を有し、前記記号化手段により記号化した情報を重ねてなる前記地図情報を、前記送受信手段により前記利用者端末に送信することが好ましい。
【００１４】
このように、上記構造物情報のほかに該当する構造物を記号化して地図上に表示することで、より構造物情報の利用が促進できる。
【００１５】
上記構造物情報提供システムに、さらに、前記構造物情報データベースに格納された構造物情報に関連付けられた構造物の画像情報を格納する画像情報データベースと、前記画像情報データベースから前記構造物情報に関連付けられた構造物の画像情報を検索する画像情報検索手段と、を有し、前記画像情報検索手段により検索された前記構造物の画像情報を、前記送受信手段により前記利用者端末に送信することが好ましい。
【００１６】
画像情報も提供されることにより、より一層構造物情報の利用が促進できる。この画像情報は、構造物に関するもののほか、この構造物の周囲の画像も含まれることが好ましい。
【００１７】
上記構造物情報提供システムに、さらに前記構造物情報、地図情報若しくは画像情報のいずれかに該当する情報を、それぞれ該当するデータベースに入力するデータ入力手段を有することが好ましい。新規な構造物に関するデータのほか、すでにデータとして入力されている構造物の追加データを格納することができるので、各データべースが更新され、より充実化する。またデータの種類が増加することで検索条件を拡大でき、多方面からの利用を促進できる。
【発明の効果】
【００１８】
本発明によれば、構造物の高さ等の属性情報とその設置場所を示す位置情報とを関連つけた構造物情報を、検索条件に応じて提供することができるので、各用途に応じた情報として利用することができる。
【発明を実施するための最良の形態】
【００１９】
本発明の実施形態に係る構造物情報提供システムについて、図面を参照して説明する。図１は本発明の実施形態に係る構造物情報提供システム１の構成と周辺機器を表す説明図である。
【００２０】
構造物情報提供システム１は、構造物情報を格納した構造物情報データベース２と、地図情報を格納した地図情報データベース３と、画像情報を格納した画像情報データベース５と、利用者端末１６との間で情報を送受信する送受信手段７と、構造物情報データベース２に格納された構造物情報を検索する構造物情報検索手段８と、地図情報データベース３に格納された地図情報を検索する地図情報検索手段９と、画像情報データベース５に格納された画像情報を検索する画像情報検索手段１０と、構造物の位置を記号化して地図情報に重ねる記号化手段１１と、構造物情報、地図情報若しくは画像情報のいずれかに該当する情報を該当するデータベースに入力するデータ入力手段１２とを備えて構成されている。
【００２１】
この構造物情報提供システム１は、そのハードウェア構成としてワークステーション、パーソナルコンピュータ等の汎用装置からなるサーバによりなることができる。しかし上記の汎用装置に限定するものでなく専用装置によりなることも可能であり、また上記サーバに容量の大きい外部記憶装置等の周辺機器を付設してなるものでもよい。
【００２２】
構造物情報システム１は、通信回線１５を通じて少なくとも１台以上の利用者端末１６と接続されている。通信回線１５は電話回線、光通信回線等の一般回線のほか専用回線のいずれであってもよく、利用者端末１６は、固定式、移動式のいずれであってもよい。
【００２３】
構造物情報データベース２は、構造物の設置場所を示す位置情報とこの位置情報と関連付けた属性情報とで形成される構造物情報が格納されている。この構造物情報を具体的表したものが図２の構造物入力情報である。位置情報は、構造物の位置を特定するための情報として、構造物の位置する緯度（北緯）、経度（東経）の数値情報からなる。また上記の位置情報に加えて構造物の所在地を表す所在地情報も格納されている。属性情報は、構造物の名称、構造物の高さ、種類、用途、構造物の位置する周囲の環境、地域状況、その他の情報が格納されている。そして上記位置情報と属性情報とは、構造物ごとに付与された構造物コード番号で関連付けられている。この構造物コード番号は、後述する構造物の地図情報、画像情報との関連付けのほか、データ入力手段１２により追加入力される追加データとの関連付けにも使用される。
【００２４】
地図情報データベース３は、構造物の位置を示す座標が組み込まれた地図情報が格納されている。構造物の位置情報は前述したとおり、緯度（北緯）、経度（東経）が入力されており、この位置情報を有する構造物を地図上で特定するため、地図情報には横軸に各緯度、縦軸に各経度ごとに細分化した情報が組み込まれている。
【００２５】
画像情報データベース５は、構造物の外観のほか、構造物の周囲を撮影した画像や、その他必要に応じて構造物内部の画像等の情報が格納されている。この画像は、例えばデジタルカメラ等で撮影した画像が電子情報として、構造物コード番号と関連付けられて格納されている。
【００２６】
上記した構造物情報データベース２、地図情報データベース３、及び画像情報データベース５は、ハードウェア構成として、サーバのハードディスク装置や記憶容量の大きい外部記憶装置等が該当する。
【００２７】
送受信手段７は、構造物情報提供システム１による構造物情報を利用する利用者端末１６との間で情報の送受信を行う装置であり、利用者端末１６からの検索条件情報を通信回線１５を経由して受信し、構造物情報検索手段８等に送る。そして構造物情報検索手段８等による検索結果、さらに構造物情報、地図情報、画像情報を利用者端末１６に送信するものである。ハードウェアとしては、所定の通信ソフトで動作するサーバによってデータをやりとりするモデム等が該当する。
【００２８】
構造物情報検索手段８は、利用者端末１６から入力された検索条件に基づき、該当する情報を有する構造物を検索し、該当する構造物を示す検索結果を作成するものである。ハードウェア構成として、基本ソフトウェアと所定の検索用アプリケーションプログラムで作動し演算処理するＣＰＵ及びＲＡＭが該当する。
【００２９】
地図情報検索手段９は、該当する構造物とその周囲を表示する地図情報を地図情報データベース３より検索するものである。検索に際しては構造物の位置情報（緯度、経度）をもとに、この位置情報を座標として有する地図情報を検索するものである。ハードウェア構成としては上記の構造物情報検索手段８と同様、基本ソフトウェアと所定の検索用アプリケーションプログラムで作動し演算処理するＣＰＵ及びＲＡＭが該当する。
【００３０】
記号化手段１１は、検索対象である構造物を所定の記号に記号化し、その記号化した情報を地図上の該当する座標位置に表示すべく、地図情報に記号化情報を組み込むものである。ハードウェア構成としては構造物情報検索手段８と同様、である。
【００３１】
画像情報検索手段１０は、該当する構造物についての画像情報を画像情報データベース５から検索するものであり、ハードウェア構成としては構造物情報検索手段８と同様基本ソフトウェアと所定の検索用アプリケーションプログラムで作動し演算処理するＣＰＵ及びＲＡＭが該当する。
【００３２】
データ入力手段１２は、構造物情報提供システム１に追加情報として、構造物の属性情報、画像情報等を入力するものである。図２に示した構造物入力情報はすでに構造物情報データベース２に格納されている構造物情報の一例であり、関連する構造物の追加情報があるときは、データ入力手段１２により構造物情報データベース２に入力される。追加データが豊富になると検索条件も広がり、より精度の高い情報検索ができるようになる。また未だ入力されていない構造物があった場合も、データ入力手段１２により入力されることで新規に構造物コード番号が付与され、位置情報、属性情報とともに所定のデータベースに格納される。なおデータ入力手段１２により入力される情報は、上記の構造物情報に限らず、地図情報、画像情報についても追加、あるいは新規に情報入力される。またハードウェア構成としては構造物情報検索手段８と同様、基本ソフトウェアと所定の検索用アプリケーションプログラムで作動し演算処理するＣＰＵ及びＲＡＭが該当する。
【００３３】
以下、本実施形態の構造物情報提供システム１の動作を図面を参照しつつ説明する。図３は構造物情報提供システム１の動作の順序を示した図である。構造物情報提供システム１は、利用者端末１６から検索条件を受信することによって始動する（Ｓ１）。
【００３４】
図４は検索条件入力画面を表すもので、利用者は提供情報として求める構造物に関する条件を該当欄にそれぞれ入力する。入力条件は、緯度と経度による位置情報による範囲指定と、所在地条件を入力する所在地指定と、構造物の高さ等の属性情報を入力する属性指定とからなる。
【００３５】
これらの入力条件はすべて入力する必要はなく、該当する条件を適宜入力することで検索が行われる。例えば、所在地指定では、「○○県」のみの入力のときは、「○○県」に所在する構造物を検索することになる。属性指定においても入力欄すべてに入力する必要はなく、また入力条件はＡＮＤ、ＯＲの条件式として入力できる。また属性指定できる事項は、格納されたデータとの関係で予め定めらているが、上記したデータ入力手段１２によるデータの充実化によって、指定できる条件の種類が拡張されるようになっている。
【００３６】
検索の一例として、広告の看板をビルの屋上に設置したいときに、該当する構造物の検索に構造物情報提供システム１が利用できる。この場合、範囲指定も可能であるが、簡単に所在地指定で「○県○市」と入力し、属性指定で「高さ  ３０ｍ以上」、「環境商業地帯」、「種類  商業ビル」と利用者端末１６から入力すると、検索条件は通信回線１５を経て送受信手段７に送られ、さらに構造物情報検索手段８に送られる。構造物情報検索手段８は、構造物情報データベース２から入力条件に該当する構造物を検索し、該当する構造物のコード番号一覧等の検索結果を利用者端末１６の画面に表示する（Ｓ２）。
【００３７】
図５は検索結果表示の画面を表したものであり、該当する構造物のコード番号が列挙される。利用者は列挙された構造物についての構造物情報の表示を求めるときは、詳細表示の欄にチェックを入れる。また該当する構造物の地図表示を求めるときは地図表示の欄にチェックを入れ、画像表示を求めるときは画像表示の欄にチェックを入れる。入力欄にチェック入れが済んだら「表示する」の欄をクリックして、表示を求める。検索条件を再度入力したいときは「条件入力戻り」の欄をクリックして条件入力に戻ることができる（Ｓ３）。
【００３８】
該当欄にチェックを入れ、「表示する」の欄をクリックしたときは該当する各情報が表示される。構造物情報の表示、すなわち詳細表示を求めたときは、図２に示す構造物入力情報が表示される。地図表示を求めたときは、図６に示すように該当する構造物を記号で表示した地図が表示される（Ｓ４）。図６では構造物Ａの位置を星型の記号で地図上に表示している。なお図６中には表示していないが、地図の縮尺の変更は所定の表示欄（図示せず）に入力することで可能である。また図６に示すように、地図に記号表示した構造物の位置情報、所在地情報、構造物コード番号が地図の下に表示される。
【００３９】
このように、広告看板の設置場所となるビルの屋上を「○県○市」内で探したいときは、所在地指定、属性指定することで該当する構造物の情報が検索でき、該当する構造物情報、地図情報、画像情報を得ることができる。
【００４０】
検索は上記の広告看板の設置場所に限らず、携帯電話のためのアンテナの設置場所の検索、交通や防犯のためのカメラ設置場所の検索、バードウォッチング等の自然観察に適した構造物の検索、そしてスカイスポーツを安全に行うために飛行範囲内にある高い構造物の確認等にも利用できる。構造物としては、ビルや住宅等に限らず、煙突、橋梁、送電設備、通信設備等も含むものである。
【図面の簡単な説明】
【００４１】
【図１】本発明の実施形態に係る構造物情報提供システム１の構成と周辺機器を表す説明図。
【図２】構造物入力情報の一覧を示した概略図。
【図３】構造物情報提供システム１の動作の順序を示した流れ図。
【図４】検索条件入力画面を示した概略図。
【図５】検索結果表示の概略図。
【図６】構造物を記号で表示した地図。
【符号の説明】
【００４２】
１  構造部情報提供システム
２  構造物情報データベース
３  地図情報データベース
５  画像情報データベース
７  送受信手段
８  構造物情報検索手段
９  地図情報検索手段
１０  画像情報検索手段
１１  記号化手段
１２  データ入力手段
【図１】
2007058389.tif 000003
【図２】
2007058389.tif 000004
【図３】
2007058389.tif 000005
【図４】
2007058389.tif 000006
【図５】
2007058389.tif 000007
【図６】
2007058389.tif 000008